(57)【特許請求の範囲】
【請求項１】
リモナイト  １１〜６０質量％と、
リグニン  ５〜３５質量％と、
ベントナイト  １〜３０質量％と、
吸水性ポリマー  ２０質量％以上と、
消石灰と、
を含み、
当該消石灰の含有量が、１０質量％以下であり、前記リグニンは、木粉形態では含まれない、排泄物処理剤。
【請求項２】
前記吸水性ポリマーが、６０質量％以下含まれる、請求項１に記載の排泄物処理剤。
【請求項３】
当該消石灰の含有量が、１質量％以上である、請求項１または２に記載の排泄物処理剤。
【請求項４】
前記吸水性ポリマーが、でんぷん系吸水性ポリマーである、請求項１〜３のいずれか１項に記載の排泄物処理剤。
【請求項５】
非水洗トイレまたはペット排泄物の処理に用いられる、請求項１〜４のいずれか１項に記載の排泄物処理剤。
【請求項６】
請求項１〜５のいずれか１項に記載の排泄物処理剤と、
バインダと、
を有する、造粒物。
【発明の詳細な説明】
【技術分野】
【０００１】
本発明は、排泄物処理剤に関する。
【背景技術】
【０００２】
地震等の災害による長期の停電および断水時等においては、トイレが使用できなくなり、各家庭では糞尿が溜まってしまう。溜まった糞尿からは悪臭が発散し続け、そのままにしておくと、その臭気により生活環境が著しく悪化してしまう。そこで、一般には糞尿をプラスチック製の袋に入れ、密封状態でとりあえず保管しておく方法等が採られているが、保管中に臭いが漏れ出し、周囲に悪臭を発散させてしまう等の問題がある。【０００３】
かような問題を解決しようと、本発明者は、消石灰と、吸水性ポリマーと、バインダと、ｐＨ８〜１３のリン酸塩、炭酸塩および水酸化物からなる群から選択される少なくとも一種と、を含む、塊状処理剤を提案している（特許文献１）。
【先行技術文献】
【特許文献】
【０００４】
【特許文献１】特開２０１４−８７７７９号公報
【発明の概要】
【発明が解決しようとする課題】
【０００５】
特許文献１の処理剤は、滅菌性のある、消石灰を必須としているため、処理された排泄物の腐敗はほとんど起こらず、また、バインダの使用で、消石灰の粉塵の発生が抑制され、健康被害を有意に抑制する。かような観点で、特許文献１の処理剤は、災害用途として特に優れている。【０００６】
しかしながら、特許文献１に記載の処理剤は、滅菌性のある消石灰の作用によって大便由来の悪臭は抑制することはできるが、環境によっては、アンモニア臭を抑えることができない場合があることが判明した。【０００７】
よって、本発明は、様々な環境下でも、糞便臭のみならず、アンモニア臭をも抑制することができる排泄物処理剤を提供することを目的とする。
【課題を解決するための手段】
【０００８】
本発明者は、上記課題を解決すべく鋭意検討を行った。その結果、リモナイトと、リグニンと、ベントナイトと、を含み、さらに消石灰を含む場合、当該消石灰の含有量が、１０質量％以下である、排泄物処理剤であれば、上記課題を解決することができることを見出し、本発明が完成した。
【発明の効果】
【０００９】
本発明によれば、様々な環境下でも、糞便臭のみならず、アンモニア臭をも抑制することができる排泄物処理剤を提供することができる。
【発明を実施するための形態】
【００１０】
以下、本発明を説明する。なお、本発明は、以下の実施の形態のみには限定されない。また、本明細書において、範囲を示す「Ｘ〜Ｙ」は「Ｘ以上Ｙ以下」を意味する。また、特記しない限り、操作および物性等の測定は室温（２０〜２５℃）／相対湿度４０〜５０％ＲＨの条件で測定する。
【００１１】
＜排泄物処理剤＞
本発明は、リモナイトと、リグニンと、ベントナイトと、を含み、さらに消石灰を含む場合、当該消石灰の含有量が、１０質量％以下である、排泄物処理剤である。かかる構成によって、様々な環境下でも、糞便臭のみならず、アンモニア臭をも抑制することができる。
【００１２】
上記のように、特許文献１に記載の処理剤は、滅菌性のある消石灰の作用によって大便由来の悪臭は抑制することはできるが、必須成分として含まれる消石灰の影響によってアンモニア発生が助長される場合があることが分かった。災害用途で処理剤が用いられる場合、糞尿をプラスチック製の袋に入れて、つまり、閉鎖式で保管しておくことができるため特にアンモニア臭については問題となり難い。しかし、仮設トイレ等の非水洗トイレ等の開放式の場合、糞便臭由来の臭気を抑制することができても、アンモニア臭を抑えることが難しいことが判明した。
【００１３】
そこで、消石灰を含んでもよいが、その量を排泄物処理剤中で１０質量％以下とし、かつ、リモナイトと、リグニンと、ベントナイトとを組み合わせることによって、糞便臭のみならず、アンモニア臭をも抑制することができることを見出し、本発明が完成した。
【００１４】
以下、排泄物処理剤を構成する成分を説明する。
【００１５】
（リモナイト）
本発明の排泄物処理剤は、リモナイトを含む。
【００１６】
リモナイトの化学組成は、ＦｅＯ（ＯＨ）・ｎＨ２Ｏであるが、赤鉄鉱（Ｆｅ２Ｏ３）や粘土鉱物、酸化マンガン（ＩＩ）等を不純物として含む場合がある。リモナイトが含まれることによって大便中の悪臭成分である、メルカプタン、メチルメルカプタン、硫化水素等の硫黄系化合物や、脂肪酸系化合物の分解、吸着を行うことができる。
【００１７】
本発明の実施形態によれば、リモナイトは、排泄物処理剤に、好ましくは１〜８０質量％、より好ましくは５〜６０質量％、さらに好ましくは１０〜３０質量％、よりさらに好ましくは１１〜２０質量％、よりさらに好ましくは１２〜１５質量％含まれる。かような範囲であることによって、硫黄系化合物や脂肪酸系化合物の分解、吸着または除去を効率よく行うことができる。
【００１８】
本発明の実施形態によれば、リモナイトの粒子径分布測定における体積平均粒子径（Ｄ５０）は、好ましくは０．１〜２００μｍ、より好ましくは１〜１５０μｍ、さらに好ましくは５〜１００μｍであり、よりさらに好ましくは１０〜５０μｍであり、よりさらに好ましくは１１〜３０μｍである。かような範囲であることによって、本発明の所期の効果を効率的に奏することができる。
【００１９】
リモナイトとしては、市販品の中から自由に選択することが可能である。例えば、ＬＭＢ５０、ＬＭＢ３００（以上、日本リモナイト社製）等が挙げられる。
【００２０】
（リグニン）
本発明の排泄物処理剤は、リグニンを含む。リグニンは、高等植物の木化に関与する高分子のフェノール性化合物であり、木質素とも呼ばれる。本発明の排泄物処理剤において、リグニンは、アンモニアおよびその他臭気物質の吸着および分解の作用効果を発揮しているものと推測される。本発明の実施形態によれば、リグニンは、リグニンスルホン酸カルシウム、リグニンスルホン酸マグネシウム、変性リグニンスルホン酸カルシウム、変性リグニンスルホン酸マグネシウム、あるいは、部分脱スルホンリグニンスルホン酸ナトリウム等の形態であってもよい。
【００２１】
本発明の実施形態によれば、リグニンは、排泄物処理剤に、好ましくは０．１〜８０質量％、より好ましくは１〜５０質量％、さらに好ましくは５〜３５質量％含まれ、よりさらに好ましくは１５〜３２質量％、よりさらに好ましくは２０〜３０質量％、よりさらに好ましくは２３〜２９質量％含まれる。かような範囲であることによって、アンモニアおよびその他臭気物質を効率よく吸着する効果がある。
【００２２】
本発明の実施形態によれば、リグニンの平均粒子径は、好ましくは１〜５００μｍ、より好ましくは５〜３００μｍ、さらに好ましくは１０〜１００μｍ、よりさらに好ましくは４０〜８０μｍである。かような範囲であることによって、アンモニアおよびその他臭気物質を効率よく吸着する。なお、本明細書中に記載の「平均粒子径」は、特記がない限り、統計学的に信頼ある数の粒子を任意に選択して、顕微鏡によって１粒ごと一番長い粒径を測定し、それらを相加平均した平均値を意味する。なお、所望の平均粒子径とするためには、適宜、篩い等にかければよい。
【００２３】
リグニンとしては、市販品の中から自由に選択することが可能である。例えば、サンエキス（サンエキスＰ２０２、サンエキスＰ３２１、サンエキスＰ２５２サンエキスＳＣＰ、パニレックスＨＷ等）、バニレックス（以上、日本製紙社製）等が挙げられる。
【００２４】
（ベントナイト）
本発明の排泄物処理剤は、ベントナイトを含む。ベントナイトは、層状のフィロケイ酸アルミニウムを多く含み、高い粘性、粘着性、吸水性や吸着性等の性質を有する。本発明の排泄物処理剤において、ベントナイトは、アンモニア等の陽イオンを吸着し、アンモニアおよびその他臭気物質の発生を抑制し、吸着する。また、リグニンと、ベントナイトとを組み合わせることによって、ベントナイトの陽イオンの吸着効果と、リグニンの解明されていない複雑な３次元状網目構造とが協働し、アンモニアおよびその他臭気物質の発生を抑制し、吸着し、分解する効果をさらに発揮しているのではないかと推測している。
【００２５】
本発明の実施形態によれば、ベントナイトは、排泄物処理剤に、好ましくは０．１〜６０質量％、より好ましくは１〜５０質量％、さらに好ましくは５〜３０質量％、よりさらに好ましくは６〜１５質量％、よりさらに好ましくは７〜１２質量％含まれる。かような範囲であることによって、アンモニアおよびその他臭気物質を効率よく吸着する効果がある。
【００２６】
本発明のある実施形態によれば、ベントナイトの平均粒子径は、好ましくは０．０５〜３００μｍ、より好ましくは０．５〜２００μｍ、さらに好ましくは１０〜１５０μｍであり、よりさらに好ましくは８０〜１４５μｍである。
【００２７】
本発明の別の実施形態によれば、ベントナイトの粒子径分布測定における体積平均粒子径（Ｄ５０）は、好ましくは５０〜３００μｍ、より好ましくは８０〜２００μｍ、さらに好ましくは１００〜１３０μｍである。また、本発明の別の実施形態によれば、ベントナイトのモード径は、好ましくは５０〜３００μｍ、より好ましくは８０〜２００μｍ、さらに好ましくは１００〜１８０μｍである。かような範囲であることによって、アンモニアおよびその他臭気物質を効率よく吸着するとの技術的効果を有する。
【００２８】
本発明の実施形態によれば、ベントナイトは、主成分であるモンモリロナイトの含有率が、好ましくは７０質量％以上、より好ましくは８０質量％以上、よりさらに好ましくは９０％質量％以上、よりさらに好ましくは９５質量％以上である。主成分以外の成分としては特に制限されないが、例えば、石英、クリストバライト、沸石、長石などを含む粘土鉱物である。本発明の実施形態によれば、ベントナイトの化学式又は構造式は、Ｓｉ８（Ａｌ３．３４Ｍｇ０．６６）Ｎａ０．６６Ｏ２０（ＯＨ）４を有する。本発明の実施形態によれば、ベントナイトは、５０±１５質量％程度のシリカ（特に結晶性シリカ）を含有する。また、本発明の実施形態によれば、ベントナイト中におけるモンモリロナイトの単位結晶は、厚みが、好ましくは０．５〜５ｎｍ、より好ましくは０．８〜３ｎｍである。本発明の実施形態によれば、ベントナイト中におけるモンモリロナイトの単位結晶は、幅が、好ましくは５０〜２０００ｎｍであり、より好ましくは８０〜１５００ｎｍであり、さらに好ましくは１００〜１０００ｎｍである。本発明の実施形態によれば、ベントナイト中におけるモンモリロナイトの形状としては、平板状である。
【００２９】
上記のようなベントナイトは、市販品の中から自由に選択することが可能である。ベントナイトの市販品としては、例えば、クニピア−Ｆ、クニミネＦ、モイストナイトＳ、モイストナイトＵ（以上、クニミネ工業製）や、２５０ＳＡ−Ｂ（以上、豊洋ベントナイト鉱業（株））等を挙げることができる。
【００３０】
（消石灰）
本発明の排泄物処理剤は、消石灰を含んでもよいが、その量を排泄物処理剤中で１０質量％以下とすることを特徴とする。消石灰の含有量の好ましい上限は、９質量％以下であり、より好ましくは８質量％以下であり、さらに好ましくは７質量％以下であり、よりさらに好ましくは６質量％以下であり、よりさらに好ましくは５質量％以下である。上限を１０質量％以下とすることによってアンモニアを抑制することができる。一方で、下限は、０質量％であるが、１質量％以上でも、２質量％以上でも、３質量％以上であってもよい。消石灰が含まれることによって糞便臭を抑え、微生物を死滅させる効果がある。消石灰を排泄物処理剤に添加する場合の消石灰の弱点（アンモニアの発生を助長させてしまう弱点）を、リモナイトと、リグニンと、ベントナイトと（特に、リモナイト）で補うことによって糞便臭と、アンモニア臭とを抑制しうる。
【００３１】
本発明の実施形態によれば、消石灰の平均粒子径は、１０μｍ以上、より好ましくは５０μｍ以上である。上限にも特に制限されないが、例えば、１０００μｍ以下、好ましくは５００μｍ以下、より好ましくは３００μｍ以下、さらに好ましくは１５０μｍ以下である。また、本発明の実施形態によれば、１０〜３００μｍが好ましく、２０〜１５０μｍが好ましく、５０〜１００μｍが好ましい。かような範囲であることによって、大便中の悪臭物質である硫黄系化合物を除去する技術的効果を有する。
【００３２】
消石灰を準備する方法としては、市販品を購入する方法が好ましく、例えば、宇部マテリアルズ社のもの等が好ましい。
【００３３】
（吸水性ポリマー）
本発明の排泄物処理剤は、吸水性ポリマーを含みうる。
【００３４】
本発明の排泄物処理剤に含まれうる吸水性ポリマー（吸水剤）は、リモナイトと、リグニンと、ベントナイトと、一定量以下の消石灰とを補助しつつ、さらに被処理物のｐＨを中性の方向にせしめる役割がある。本発明において、吸水性ポリマーが含まれることによって、糞尿中の水分を吸収し固化することができる。また、吸水性ポリマーの作用によって、被処理物が固化し、固化した被処理物の周囲を、排泄物処理剤を構成する成分を覆う形態となり、本発明の所期の効果をより効率よく奏することができる。
【００３５】
本発明で用いられる吸水性ポリマーの具体例としては、たとえばでんぷんアクリロニトリルグラフト重合体加水分解物、でんぷんアクリル酸グラフト重合体等のでんぷん系吸水性ポリマー、セルロース−アクリロニトリルグラフト重合体、セルロース−スチレンスルホン酸グラフト共重合体等のセルロース系吸水性ポリマー、多糖類系吸水性ポリマー、コラーゲン等のたんぱく質系吸水性ポリマー、ポリビニルアルコール架橋重合体等のポリビニルアルコール系吸水性ポリマー、ポリアクリル酸ナトリウム架橋体、アクリル酸重合体部分ナトリウム塩架橋物、アクリル酸ナトリウム−ビニルアルコール共重合体等のアクリル系吸水性ポリマー、無水マレイン酸系吸水性ポリマー、ビニルピロリドン系吸水性ポリマー、ポリエチレングリコール・ジアクリレート架橋重合体等のポリエーテル系吸水性ポリマー等が挙げられる。これら吸水性ポリマーは、単独で用いてもよいし２種以上を組み合わせて使用してもよい。また、これら吸水性ポリマーは、合成してもよいし市販品を用いてもよい。市販品の例としては、たとえば、アクアキープ（登録商標）ＳＡ（住友精化株式会社製）、アクアリック（登録商標）ＣＡ（株式会社日本触媒製）、サンフレッシュ（ＳＴ−２５０、ＳＴ−１００、ＳＴ−５７３）、アクアパール（サンダイヤポリマー株式会社製）、ハイモサブＨＳ−９６０（ハイモ株式会社製）等が挙げられる。
【００３６】
また、本発明の実施形態において、吸水性ポリマーが、カルボキシメチルセルロースであってもよい。カルボキシメチルセルロースは、セルロースの誘導体であり、セルロースの骨格を構成するグルコノピラノースモノマーのヒロドキシ基の一部にカルボキシメチル基（−ＣＨ２−ＣＯＯＨ）を結合させたものである。また、このカルボキシメチルセルロースは、カルボキシメチルセルロース塩であってもよい。カルボキシメチルセルロースは、水との親和性が高く、水と混合することでゲル状の高粘度体となる増粘剤である。本発明において、処理剤が増粘することで、悪臭の抑制効果が高く、さらに抑制効果を維持できる。
【００３７】
本発明の排泄物処理剤に含まれうる吸水性ポリマーの平均粒子径にも特に制限はないが、好ましくは５０〜１０００μｍであり、より好ましくは８０〜８５０μｍであり、さらに好ましくは１００〜６００μｍであり、よりさらに好ましくは２００〜５００μｍであり、よりさらに好ましくは２５０〜４５０μｍであり、よりさらに好ましくは３００〜４００μｍである。また、本発明の好ましい実施形態においては、吸水性ポリマーは、１０６μｍ以下が、好ましくは２０質量％以下であり、より好ましくは１５質量％以下であり、よりさらに好ましくは１２質量％以下である。また、１０６μｍ超８５０μｍ以下が、好ましくは８０質量％以上、より好ましくは８５質量％以上である。また、８５０μｍ超が、好ましくは１０質量％以下であり、より好ましくは５質量％以下であり、さらに好ましくは３質量％以下である。
【００３８】
本発明の実施形態によれば、吸水性ポリマーは、排泄物処理剤に、好ましくは１〜９０質量％、より好ましくは２０〜７０質量％、さらに好ましくは３０〜６０質量％含まれる。かような範囲であることによって、糞便中の水分を固め、拡散を防ぐ効果がある。
【００３９】
本発明の実施形態の排泄物処理剤は、水や、ＰＶＡ、水溶性セルロース、水溶性カルボキシメチルセルロース、アルギン酸ナトリウム等のバインダ等を用いて造粒してもよい。また、本発明の実施形態の排泄物処理剤は、特開２０１３−６１３７号公報や、再表２０１１／１６２２４４号公報の技術を用いて、顆粒状処理剤や、塊状処理剤の形態としてもよい。
【００４０】
＜排泄物処理剤の製造方法＞
本発明においては、リモナイトと、リグニンと、ベントナイトと、消石灰とを混合することを有し、前記消石灰の含有量が、１０質量％以下となるように混合することを有する、排泄物処理剤の製造方法が提供される。
【００４１】
排泄物処理剤の製造方法としては、排泄物処理剤を構成する各成分を混合することを有し、上記の成分を混合する順序は、特に制限されず、各成分を一度に混合してもよいし、各成分を順次混合してもよい。
【００４２】
＜排泄物処理剤の用途、使用方法等＞
本発明の実施形態によれば、排泄物処理剤は、仮設トイレ等の非水洗トイレ等の開放式のトイレに好適である。よって、本発明の実施形態によれば、排泄物処理剤は、非水洗トイレに用いられる。つまり、本発明の排泄物処理剤は、糞便臭のみならず、アンモニア臭をも抑制（しかも、長期に亘って抑制）しうるので、非水洗トイレ（仮設トイレ）に好適に用いられうる。（ベントナイトの代わりに、ゼオライトを使用したりしても、長期間にわたり、アンモニア臭を抑制することはできない）。
【００４３】
本発明の実施形態において、仮設トイレ等の非水洗トイレに適用する場合、糞尿受けに本発明の排泄物処理剤を予め設置しておくことが好ましい。かような実施形態であることによって、トイレの使用者が直接排泄物処理剤を添加する必要がなくなる。
【００４４】
また、本発明の実施形態において、糞尿受けに予め本発明の排泄物処理剤を設置しておく場合、少量の水も添加しておくことが好ましい。かような実施形態であることによって、排泄物処理剤を造粒させておくこともできる。そうすることで、排泄物処理剤の粉塵を抑制し、使用者が快適にトイレを使用することができる。
【００４５】
また、本発明の実施形態において、下水道インフラの整っていない地域における、非水洗トイレ（例えば、土壌等に穴を掘って、その穴を糞尿受とするトイレ）に対しては、当該穴に予め本発明の排泄物処理剤を設置しておくことが好ましい。ここで、本発明の排泄物処理剤は、リモナイトと、リグニンと、ベントナイトとを含んで構成される。これらの成分は、土壌に対して悪影響を及ぼす成分ではないので、当該穴が糞尿で満たされれば土壌で穴を埋めるだけで糞尿処理が可能となる。さらに言えば糞尿成分や排泄物処理剤由来成分の土壌への好影響によって土壌改良にも繋がり得る。本発明の実施形態において吸水性ポリマーとしてでんぷん系等の生分解性吸水性ポリマーを使うことによって同様の効果を期待することができる。
【００４６】
また、本発明の実施形態において、排泄物処理剤が吸水性ポリマーを含む場合、例えば、次亜塩素酸、塩化カルシウム等の、吸水性ポリマーの構造を破壊する成分を処理済の糞尿に添加することが好ましい。かかる実施形態によって、固化されていた糞尿が液体状になり土壌に噴霧、散布して肥料等に用いることもできる。
【００４７】
本発明の排泄物処理剤は、かような苛酷な環境においても効果を発揮するので、無論、ペットの糞尿処理剤として用いることもできる。よって、本発明の実施形態において、排泄物処理剤は、ペット排泄物の処理に用いられる。本実施形態において、排泄物処理剤を構成する成分が水溶性基材に包含される。かような実施形態であることによって、ペットのオーナーが排泄物処理剤を粉末形態で持ち歩く必要がなくなり、携帯性が向上する。また、本実施形態においては、水溶性基材に包含された状態の排泄物処理剤を直接、ペットの排泄物が収納された袋（例えば、プラスチック袋）に添加することができる。この場合、少量の水をさらに添加することがより好ましい。かかる実施形態によれば、ペットの糞尿処理が非常に容易となり、臭いの問題も解決することができる。また、本発明の実施形態においては、排泄物処理剤が包含されてなる水溶性基材を一部切って開封し、水溶性基材の中に収納されていた粉末形態の排泄物処理剤をペットの排泄物に振りかけてもよい。かような実施形態であることによって、水を添加しなくても、本発明の所期の効果を効率的に奏することができる。
【００４８】
ここで、水溶性基材としては、水に溶解する基材であれば特に制限されず、例えば水溶紙、水溶性フィルム等が挙げられる。水溶性基材のサイズとしては特に制限はない。
【００４９】
また、かような苛酷な環境（特に開放式トイレ）においても効率的に所期の効果を発揮する本発明の排泄物処理剤であれば、処理した排泄物を袋（例えば、ビニール袋）に入れて縛ることを想定している災害用途の処理剤としてはもちろん、家畜の排泄物、有機汚泥や嘔吐物の排泄物の処理にも使用することができる。
【００５０】
本発明の好ましい実施形態において、被処理物（大便１５０〜３５０ｇ）に対する排泄物処理剤の量は、必要に応じて適宜調整することができるが、目安としては、好ましくは３〜１００ｇであり、より好ましくは５〜７０ｇであり、さらに好ましくは１０〜５０ｇである。被処理物（小便５０〜５００ｇ）に対する排泄物処理剤の量は、必要に応じて適宜調整することができるが、目安としては、好ましくは３〜１００ｇであり、より好ましくは５〜７０ｇであり、さらに好ましくは１０〜５０ｇである。
【実施例】
【００５１】
以下、本発明の代表的な実施形態を示し、本発明につきさらに説明するが、無論、本発明がこれらの実施形態に限定されるものではない。なお、実施例中において特に断りのない限り、「部」は「質量部」を、「％」は「質量％」を表す。また、特記しない限り、操作および物性等の測定は室温（２０〜２５℃）／相対湿度４０〜５０％ＲＨの条件で測定した。【００５２】
＜排泄物処理剤の作製＞
（実施例１、比較例１〜１０）
表１に示される組成となるように排泄物処理剤を構成する各成分を混合して、３５ｇの排泄物処理剤を作製した。【００５３】
（比較例１１）
特開２０１４−８７７７９号公報の実施例１９と同じ組成となるようにした以外は、実施例１と同様にして３５ｇの排泄物処理剤を作製した。【００５４】
＜臭気試験、アンモニア計測＞
ポリエチレン製の袋に男性４０代の大便２００ｇおよび小便１００ｇを添加して密閉し１時間放置した。【００５５】
袋を開けて、各実施例、各比較例で作製した排泄物処理剤を３５ｇ添加し、３０日間放置後、臭気の官能試験を行った。また、検知管（アンモニア用ガス検知管（北川式）（光明理化学工業（株）社製）  測定限界が２００ｐｐｍまで）を用いて、アンモニア濃度を測定した（表１に示す）。【００５６】
【表１】
0006579459.tif 000002
【００５７】
＜結果、考察＞
実施例１の排泄物処理剤によれば、処理済の排泄物を３０日間との長期間に亘って放置しても、糞便臭のみならず、アンモニア臭をも抑制することができ、殆ど臭気を感じなかった。一方、比較例１、２は、消石灰が含まれていないためアンモニアの発生がそもそも少なくリグニンも含まれているためアンモニアの確認ができなかったが、糞便臭がやや強く残存していた。よって、ベントナイトの存在が本発明の所期の効果を奏するために重要であることが示唆されている。【００５８】
比較例３は、消石灰の含有比率が排泄物処理剤において１０質量％超であるため、アンモニア濃度が高かった。そのため、リモナイト、リグニン、ベントナイト、消石灰等の作用によって糞便臭は抑えられていたが、アンモニア由来の刺激臭が強く、臭気が残っていた。【００５９】
比較例４は、リモナイトのみを使用した実験であるが、結果、生ゴミが発酵したような悪臭を感じた。【００６０】
比較例５は、比較例４の組成に半分、吸水性ポリマーを入れた実験であるが、水分を吸収している分、比較例４よりは臭気は低いが、依然生ゴミが発酵したような悪臭を感じた。【００６１】
比較例６、７は、比較例５の組成をベースに、消石灰を添加したため、アンモニア発生が助長され、いずれも、アンモニアの刺激臭と有機的な臭いとが組み合わさったやや強い臭気を発していた。【００６２】
比較例８は、実施例の組成に近いが、ベントナイトが入っていない。その結果、臭気としては、アンモニアの刺激臭と有機的な臭いとが組み合わさった臭気が残っていた。換言すれば、リモナイト、リグニン、ベントナイトが協働して本発明の所期の効果を奏していることが示唆された。しかも、リモナイトと、リグニンと、ゼオライトと、の組み合わせでは、本発明の所期の効果を奏することはできず、リモナイトと、リグニンと、ベントナイトとの組み合わせが重要であることが示唆される。換言すれば、ゼオライトは、ベントナイトの代替品には本発明においてはならないということである。【００６３】
比較例９はリグニンが含まれていないことによってアンモニアの発生を抑制することができず、また糞便臭による臭気も残ってしまった。比較例１０はリモナイトが含まれていないことによってかなりの悪臭となってしまった。【００６４】
比較例１１は、消石灰を多く含んでいるので、糞便臭はあまり感じられないが、その分、アンモニア発生が助長されて、臭気が残ってしまった。【００６５】
なお、本出願は、２０１７年４月１４日に出願された日本国特許出願第２０１７−８０８５４号に基づいており、その開示内容は、参照により全体として引用されている。